【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
主面を有する複数の遮水体と、前記複数の遮水体を、それらの主面同士が互いに向き合うように固定する固定部材と、前記複数の遮水体の間に挟み込まれた保水基材と、を備えた放射線透過低減構成基材。
【請求項２】
複数の前記遮水体のうち少なくとも１組の遮水体の周縁部は、閉鎖されているか若しくは一部開口部を残して閉鎖されている袋形態からなる請求項１の放射線透過低減構成基材。
【請求項３】
前記遮水体は、生分解性シート又は複数の孔を有するポリエチレンフイルムとオブラートシートの間に植物の種を付着させてなる短期に土壌状態に変換する種子付着生分解性シート、少なくとも１枚の不織布に極細粒活性炭が付着若しくは含浸されている不織布、少なくとも１枚の紙にゼオライトが付着若しくは含浸されている紙シートのいずれかの少なくとも１枚を縫製または、貼合して成ることを特徴とする請求項２の放射線透過低減構成基材。
【請求項４】
前記遮水体は、ポリエチレン樹脂シート又は、ポリエチレン樹脂フイルムからなる袋体、袋体の表面がポリエチレン樹脂シートであり、裏面が複数の有孔を有するポリエチレン樹脂フイルムの２層構造からなる袋体のいずれか１つを形成し、前記袋体には少なくとも１以上の注水口が開口されている請求項２の放射線透過低減構成基材。
【請求項５】
地面に置いた状態に於いて前記遮水体の上面または前記保水基材の上面に、植物の種が混合された土壌層を設けてなる請求項３又は４に記載の放射線透過低減構成基材。
【請求項６】
地面に置いた状態に於いて、前記保水基材の上面となる領域と前記土壌層の領域と前記袋体の上面が、木本又は草本を植栽するための貫通穴または、線状に切り裂かれている植栽部分が少なくとも１つ以上形成されている請求項３から５のいずれかに記載の放射線透過低減構成基材。
【請求項７】
前記保水基材が、鉱物繊維、鉱物繊維成形体、樹脂繊維、樹脂繊維成形体、ガラス繊維、ガラス繊維成形体、微昌形炭素、カーボンブラック、カーボン繊維、カーボン繊維成形体、セラミック繊維、セラミック繊維成形体、紙、新聞紙、板紙、高吸水性高分子樹脂、腐植、不織布、布、綿、植物微粉末、穀物、塩、甘味料、木、土、蝋、パルプ、鉱物微粉末、海藻微粉末、藻類、高炉スラグ微粉末、高炉スラグ繊維、ゴム、鉄鋼スラグ、砂、カラ―サンド、塩化ナトリウム、バリウム、肥料、飼料、腐葉、火山灰、硫酸バリウムのコロイド溶液、パラフィン、セルロース、活性炭、炭、漆喰、セメント、鉱物、骨炭、スポンジ、乾燥剤、顔料、サクラン（スイゼンジノリ）、防腐剤、石灰、樹脂ペレット、樹脂、高吸水性高分子樹脂を繊維に付着若しくは含浸されている不織布、少なくとも１枚の不織布に粒径が１２００μｍ以下である微昌形炭素が付着若しくは含浸されている不織布又は繊維、のうちの少なくとも１つである、請求項１から６のいずれかに記載の放射線透過低減構成基材。
【請求項８】
前記鉱物繊維成形体は、ロックウール粒状綿又は、ロックウール粒状綿有孔袋梱包体、ロックウール板状体又はロックウール板状体有孔袋梱包体、ロックウールフェルト又はロックウールフェルト有孔袋梱包体、前記ガラス繊維がグラスウールである、請求項７に記載の放射線透過低減構成基材
【請求項９】
前記保水基材に、油、形状安定剤（ポリエチレングリコール）、モリブデン酸水溶液、硫酸バリウムのコロイド溶液、エポキシ樹脂、フッ素樹脂、タングステン酸ナトリウム、ジェル状液体、ワニス、エタノール、界面活性剤、フッ素系界面活性剤又は質量の大きい溶液のいずれかを注入させた、請求項１から８のいずれかに記載の放射線透過低減構成基材。
【請求項１０】
請求項１〜９のいずれかに記載の放射線透過低減構成基材を構成する前記保水基材に注水が行われて、前記保水基材が含水される放射線透過低減構成基材。
【請求項１１】
前記保水機材の一部に通水管又は、中空板を備え、流体が流れる水路に設置されたときに、前記流体が、前記通水管又は、中空板を流れることを特徴とする請求項１〜１０のいずれかに記載する放射線透過低減構成基材。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】第１の発明の放射線透過低減構成基材は、主面を有する複数の遮水体と、前記複数の遮水体を、それらの主面同士が互いに向き合うように固定する固定部材と、前記複数の遮水体の間に挟み込まれた保水基材と、を備えた放射線透過低減構成基材である。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】変更
【補正の内容】
【００３２】第２の発明の放射線透過低減構成基材は、複数の前記遮水体のうち少なくとも１組の遮水体の周縁部は、閉鎖されているか若しくは一部開口部を残して閉鎖されている袋形態からなる第１の発明の放射線透過低減構成基材である。
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】変更
【補正の内容】
【００４６】第３の発明の放射線透過低減構成基材は、前記遮水体は、生分解性シート又は複数の孔を有するポリエチレンフイルムとオブラートシートの間に植物の種を付着させてなる短期に土壌状態に変換する種子付着生分解性シート、少なくとも１枚の不織布に極細粒活性炭が付着若しくは含浸されている不織布、少なくとも１枚の紙にゼオライトが付着若しくは含浸されている紙シートのいずれかの少なくとも１枚を縫製または、貼合して成ることを特徴とする第２の発明の放射線透過低減構成基材である。
【手続補正４１】
【補正対象書類名】明細書
【補正対象項目名】００４７
【補正方法】変更
【補正の内容】
【００４７】第４の発明の放射線透過低減構成基材は、前記遮水体は、ポリエチレン樹脂シート又は、ポリエチレン樹脂フイルムからなる袋体、袋体の表面がポリエチレン樹脂シートであり、裏面が複数の有孔を有するポリエチレン樹脂フイルムの２層構造からなる袋体のいずれか１つを形成し、前記袋体には少なくとも１以上の注水口が開口されている第２の発明の放射線透過低減構成基材である。
【手続補正４２】
【補正対象書類名】明細書
【補正対象項目名】００４８
【補正方法】変更
【補正の内容】
【００４８】第５の発明の放射線透過低減構成基材は、地面に置いた状態に於いて前記遮水体の上面または前記保水基材の上面に、植物の種が混合された土壌層を設けてなる第３又は４の発明の放射線透過低減構成基材である。
【手続補正４３】
【補正対象書類名】明細書
【補正対象項目名】００４９
【補正方法】変更
【補正の内容】
【００４９】第６の発明の放射線透過低減構成基材は、地面に置いた状態に於いて、前記保水基材の上面となる領域と前記土壌層の領域と前記袋体の上面が、木本又は草本を植栽するための貫通穴または、線状に切り裂かれている植栽部分が少なくとも１つ以上形成されている第３から５のいずれかの発明の放射線透過低減構成基材である。
【手続補正４４】
【補正対象書類名】明細書
【補正対象項目名】００５０
【補正方法】削除
【補正の内容】
【手続補正４５】
【補正対象書類名】明細書
【補正対象項目名】００５１
【補正方法】削除
【補正の内容】
【手続補正４６】
【補正対象書類名】明細書
【補正対象項目名】００５２
【補正方法】削除
【補正の内容】
【手続補正４７】
【補正対象書類名】明細書
【補正対象項目名】００５３
【補正方法】削除
【補正の内容】
【手続補正４８】
【補正対象書類名】明細書
【補正対象項目名】００５４
【補正方法】削除
【補正の内容】
【手続補正４９】
【補正対象書類名】明細書
【補正対象項目名】００５５
【補正方法】削除
【補正の内容】
【手続補正５０】
【補正対象書類名】明細書
【補正対象項目名】００５６
【補正方法】削除
【補正の内容】
【手続補正５１】
【補正対象書類名】明細書
【補正対象項目名】００５７
【補正方法】削除
【補正の内容】
【手続補正５２】
【補正対象書類名】明細書
【補正対象項目名】００５８
【補正方法】削除
【補正の内容】
【手続補正５３】
【補正対象書類名】明細書
【補正対象項目名】００５９
【補正方法】削除
【補正の内容】
【手続補正５４】
【補正対象書類名】明細書
【補正対象項目名】００６０
【補正方法】削除
【補正の内容】
【手続補正５５】
【補正対象書類名】明細書
【補正対象項目名】００６１
【補正方法】削除
【補正の内容】
【手続補正５６】
【補正対象書類名】明細書
【補正対象項目名】００６２
【補正方法】削除
【補正の内容】
【手続補正５７】
【補正対象書類名】明細書
【補正対象項目名】００６３
【補正方法】削除
【補正の内容】
【手続補正５８】
【補正対象書類名】明細書
【補正対象項目名】００６４
【補正方法】削除
【補正の内容】
【手続補正５９】
【補正対象書類名】明細書
【補正対象項目名】００６５
【補正方法】削除
【補正の内容】
【手続補正６０】
【補正対象書類名】明細書
【補正対象項目名】００６６
【補正方法】削除
【補正の内容】
【手続補正６１】
【補正対象書類名】明細書
【補正対象項目名】００６７
【補正方法】削除
【補正の内容】
【手続補正６２】
【補正対象書類名】明細書
【補正対象項目名】００６８
【補正方法】削除
【補正の内容】
【手続補正６３】
【補正対象書類名】明細書
【補正対象項目名】００６９
【補正方法】削除
【補正の内容】
【手続補正６４】
【補正対象書類名】明細書
【補正対象項目名】００７０
【補正方法】削除
【補正の内容】
【手続補正６５】
【補正対象書類名】明細書
【補正対象項目名】００７１
【補正方法】削除
【補正の内容】
【手続補正６６】
【補正対象書類名】明細書
【補正対象項目名】００７２
【補正方法】削除
【補正の内容】
【手続補正６７】
【補正対象書類名】明細書
【補正対象項目名】００７３
【補正方法】削除
【補正の内容】
【手続補正６８】
【補正対象書類名】明細書
【補正対象項目名】００７４
【補正方法】削除
【補正の内容】
【手続補正６９】
【補正対象書類名】明細書
【補正対象項目名】００７５
【補正方法】削除
【補正の内容】
【手続補正７０】
【補正対象書類名】明細書
【補正対象項目名】００７６
【補正方法】削除
【補正の内容】
【手続補正７１】
【補正対象書類名】明細書
【補正対象項目名】００７７
【補正方法】削除
【補正の内容】
【手続補正７２】
【補正対象書類名】明細書
【補正対象項目名】００７８
【補正方法】変更
【補正の内容】
【００７８】第７の発明の放射線透過低減構成基材は、前記保水基材が、鉱物繊維、鉱物繊維成形体、樹脂繊維、樹脂繊維成形体、ガラス繊維、ガラス繊維成形体、微昌形炭素、カーボンブラック、カーボン繊維、カーボン繊維成形体、セラミック繊維、セラミック繊維成形体、紙、新聞紙、板紙、高吸水性高分子樹脂、腐植、不織布、布、綿、植物微粉末、穀物、塩、甘味料、木、土、蝋、パルプ、鉱物微粉末、海藻微粉末、藻類、高炉スラグ微粉末、高炉スラグ繊維、ゴム、鉄鋼スラグ、砂、カラ―サンド、塩化ナトリウム、バリウム、肥料、飼料、腐葉、火山灰、硫酸バリウムのコロイド溶液、パラフィン、セルロース、活性炭、炭、漆喰、セメント、鉱物、骨炭、スポンジ、乾燥剤、顔料、サクラン（スイゼンジノリ）、防腐剤、石灰、樹脂ペレット、樹脂、高吸水性高分子樹脂を繊維に付着若しくは含浸されている不織布、少なくとも１枚の不織布に粒径が１２００μｍ以下である微昌形炭素が付着若しくは含浸されている不織布又は繊維、のうちの少なくとも１つである、第１から６のいずれかに記載の発明の放射線透過低減構成基材である。
【手続補正７３】
【補正対象書類名】明細書
【補正対象項目名】００７９
【補正方法】変更
【補正の内容】
【００７９】第８の発明の放射線透過低減構成基材は、前記鉱物繊維成形体は、ロックウール粒状綿又は、ロックウール粒状綿有孔袋梱包体、ロックウール板状体又は、ロックウール板状体有孔袋梱包体、ロックウールフェルト又はロックウールフェルト有孔袋梱包体、前記ガラス繊維がグラスウールである、第７の発明に記載の放射線透過低減構成基材である。
【手続補正７４】
【補正対象書類名】明細書
【補正対象項目名】００８０
【補正方法】削除
【補正の内容】
【手続補正７５】
【補正対象書類名】明細書
【補正対象項目名】００８１
【補正方法】変更
【補正の内容】
【００８１】第９の発明の放射線透過低減構成基材は、前記保水基材に、油、形状安定剤（ポリエチレングリコール）、モリブデン酸水溶液、硫酸バリウムのコロイド溶液、エポキシ樹脂、フッ素樹脂、タングステン酸ナトリウム、ジェル状液体、ワニス、エタノール、界面活性剤、フッ素系界面活性剤又は質量の大きい溶液のいずれかを注入させた、第１から８のいずれかの発明の放射線透過低減構成基材である。
【手続補正７６】
【補正対象書類名】明細書
【補正対象項目名】００８２
【補正方法】削除
【補正の内容】
【手続補正７７】
【補正対象書類名】明細書
【補正対象項目名】００８３
【補正方法】削除
【補正の内容】
【手続補正７８】
【補正対象書類名】明細書
【補正対象項目名】００８４
【補正方法】削除
【補正の内容】
【手続補正７９】
【補正対象書類名】明細書
【補正対象項目名】００８５
【補正方法】変更
【補正の内容】
【００８５】第１０の発明の放射線透過低減構成基材は、第１〜９のいずれかの発明に記載の放射線透過低減構成基材を構成する前記保水基材に注水が行われて、前記保水基材が含水される放射線透過低減構成基材である。
【手続補正８０】
【補正対象書類名】明細書
【補正対象項目名】００８６
【補正方法】変更
【補正の内容】
【００８６】第１１の発明の放射線透過低減構成基材は、前記保水機材の一部に通水管又は、中空板を備え、流体が流れる水路に設置されたときに、前記流体が、前記通水管又は、中空板を流れることを特徴とする第１〜１０の発明のいずれかに記載する放射線透過低減構成基材である。
【手続補正８１】
【補正対象書類名】明細書
【補正対象項目名】００８７
【補正方法】削除
【補正の内容】
【手続補正８２】
【補正対象書類名】明細書
【補正対象項目名】００８８
【補正方法】削除
【補正の内容】
【手続補正８３】
【補正対象書類名】明細書
【補正対象項目名】００８９
【補正方法】削除
【補正の内容】
【手続補正８４】
【補正対象書類名】明細書
【補正対象項目名】００９０
【補正方法】削除
【補正の内容】
【手続補正８５】
【補正対象書類名】明細書
【補正対象項目名】００９１
【補正方法】削除
【補正の内容】
【手続補正８６】
【補正対象書類名】明細書
【補正対象項目名】００９２
【補正方法】削除
【補正の内容】
【手続補正８７】
【補正対象書類名】明細書
【補正対象項目名】００９３
【補正方法】削除
【補正の内容】
【手続補正８８】
【補正対象書類名】明細書
【補正対象項目名】００９４
【補正方法】削除
【補正の内容】
【手続補正８９】
【補正対象書類名】明細書
【補正対象項目名】００９５
【補正方法】削除
【補正の内容】
【手続補正９０】
【補正対象書類名】明細書
【補正対象項目名】００９６
【補正方法】削除
【補正の内容】
【手続補正９１】
【補正対象書類名】明細書
【補正対象項目名】００９７
【補正方法】削除
【補正の内容】
【手続補正９２】
【補正対象書類名】明細書
【補正対象項目名】０２３２
【補正方法】変更
【補正の内容】
【０２３２】図２１の上図（ａ）は、第２１の発明の構成の一例を示す斜視図である。符号１７は、一つには幅４５ｃｍ、長さ１５８ｃｍのポリエステルスパンボンド不織布（目付量４０ｇ／ｍ２）であり、もう一つは、ポリエステルスパンボンド不織布に粒径が９９０μｍ以下の極細粒活性炭が付着されてなるポリエステルスパンボンド不織布（目付量８０ｇ／ｍ２）である。この二枚の不織布１７と１７は、格子目９９の大きさが縦６０ｍｍ、横３６ｍｍになるように熱溶着されている。格子の数は２３０であり、各格子には粒径が９９０μｍ以下のゼオライトが２０ｇ封入されている。
この格子に高分子吸水性樹脂、粒径が９９０μｍ以下の極細粒活性炭をゼオライトに混合してもよい、また、ゼオライトを高分子吸水性樹脂、粒径が９９０μｍ以下の極細粒活性炭に置き換えてもよい。
【手続補正９３】
【補正対象書類名】明細書
【補正対象項目名】発明の名称
【補正方法】変更
【補正の内容】
【発明の名称】放射線透過低減構成基材